(57)【特許請求の範囲】
【請求項１】
柱と、柱の上に架設してあり横樋部を有する桁と、集水器と、縦樋と、排水器とを備え、柱は中空であり且つ側面が開口しており、側面開口を塞ぐ柱カバーを備え、集水器は柱の上端部で横樋部に固定してあり、排水器は柱の下端部に配置してあり、縦樋の下端を上から呑み込み可能な開口部と、縦樋の下端が上から係止する縦樋係止部とを有し、縦樋は柱の中空内に配置してあり且つ集水器の下端と排水器の上端との間の寸法よりも上下寸法を長くしてあり、上端を集水器に下から嵌合した後に下方に落として下端を排水器の縦樋係止部に上から係止してあることを特徴とする簡易建物の生産方法。
【発明の詳細な説明】
【技術分野】
【０００１】
本発明は、テラス等の簡易建物に関する。
【背景技術】
【０００２】
非特許文献１には、図１４に示すように、簡易建物１００において、柱１０１の上に設けた横樋１０３に集水器１０５を取付け、柱１０１の側面に結束バンド１１１で固定した縦樋１０７の上端を集水器１０５に連結すると共に縦樋１０７の下端に排水器１０９を取付けることが開示されている。
【先行技術文献】
【非特許文献】
【０００３】
【非特許文献１】２６１頁「三協立山アルミ  ウォールエクステリア  カタログ  ２０１１→２０１２」  第１版  業務用  三協立山アルミ株式会社  ２０１１年３月発行
【発明の概要】
【発明が解決しようとする課題】
【０００４】
しかし、非特許文献１の簡易建物１００では、縦樋１０７を柱１０１の側面に結束バンド１１１で固定しているので、部品点数が増えると共に施工に手間がかかるという問題がある。更に、非特許文献１の簡易建物は、集水器１０５や縦樋１０７が露出しているので、概観を損なうという問題がある。
【０００５】
そこで、本発明は、部品点数が少なく施工が容易であると共に外観が良い簡易建物の生産方法の提供を目的とする。
【課題を解決するための手段】
【０００６】
請求項１に記載の発明は、柱と、柱の上に架設してあり横樋部を有する桁と、集水器と、縦樋と、排水器とを備え、柱は中空であり且つ側面が開口しており、側面開口を塞ぐ柱カバーを備え、集水器は柱の上端部で横樋部に固定してあり、排水器は柱の下端部に配置してあり、縦樋の下端を上から呑み込み可能な開口部と、縦樋の下端が上から係止する縦樋係止部とを有し、縦樋は柱の中空内に配置してあり且つ集水器の下端と排水器の上端との間の寸法よりも上下寸法を長くしてあり、上端を集水器に下から嵌合した後に下方に落として下端を排水器の縦樋係止部に上から係止してあることを特徴とする簡易建物の生産方法である。
【発明の効果】
【０００７】
請求項１に記載の発明における縦樋の取付けは、例えば、柱の側面開口から、柱の中空内に縦樋の下端を挿入して、排水器の開口部に呑み込ませた後、上端を柱の中空内に入れ、次に縦樋を上に突き上げて集水器に嵌合し、次に少し落とし込んで上端を集水器に嵌合したまま下端を排水器の縦樋係止部に係止する。
本発明によれば、縦樋は、柱の内部に配置して上端部を集水器に嵌合して下端部を排水器に係止しているので、結束バンドが不要であるから部品点数を少なくできると共に施工が容易もできる。
縦樋及び集水器は柱の内部にあり外部から見えないので概観が良い。
縦樋は、例えば、下端を排水器に呑み込ませた後、集水器に下から嵌合し、次に落とし込みにより縦樋係止部に係止できるので、縦樋の取付けが簡単にできる。
【図面の簡単な説明】
【０００８】
【図１】本実施の形態にかかる簡易建物の図であり、図１３に示す簡易建物をＡ−Ａ線の位置で上下に切断した状態を示す断面図である。
【図２】本実施の形態にかかる簡易建物の平面図である。
【図３】本実施の形態にかかる簡易建物の正面図である。
【図４】図１に示すＢ−Ｂ断面図である。
【図５】図１に示すＣ−Ｃ断面図であり、横桟を除いて示している。
【図６】図１３に示すＤ−Ｄ線の位置で上下に切断した状態を示す断面図である。
【図７】図６に示すＥ−Ｅ断面図である。
【図８】図６に示すＫ−Ｋ断面図である。
【図９】集水器の図であり、（ａ）は正面図、（ｂ）は側面図、（ｃ）は平面図、（ｄ）は（ｃ）に示すＦ−Ｆ断面図、（ｅ）は（ｃ）に示すＧ−Ｇ断面図である。
【図１０】排水器の図であり、（ａ）は正面図、（ｂ）は側面図、（ｃ）は平面図、（ｄ）は（ｃ）に示すＨ−Ｈ断面図である。
【図１１】縦樋の施工を説明する工程図である。
【図１２】図３に示すＪ−Ｊ断面図である。
【図１３】本実施の形態にかかる簡易建物の概略を示す斜視図である。
【図１４】従来技術にかかる簡易建物を図１と同じ位置で切断して示す概略断面である。
【発明を実施するための形態】
【０００９】
以下に、添付図面の図１〜図１３を参照して本発明の実施の形態を詳細に説明する。図１３に示すように、本実施の形態に係る簡易建物１はテラスであり、柱３ａ、３ｂと、柱３ａ、３ｂの上端部に架設された桁５と、垂木７と、垂木７、７間に配置したパネル１３と、キャップ８とを備えている。柱３ａ、３ｂは、簡易建物１の左右両端側に位置する端部柱３ａと、左右の端部柱３ａ、３ａ間に位置する中間柱３ｂ、３ｂである。
【００１０】
図５に示すように、垂木７、７間の対向する側面には取付金具３７、３７が固定してあり、取付金具３７、３７間には、図１３に示すように、中桟９が固定されている。図２に示すように、中桟９の左右両端の上部には切除部３９が形成してあり、図１に示すように、中桟９の中空を上下に仕切る中壁９ａに取付金具３７の突出部３７ａを重ねて上から止めるねじ４１で固定してある。
図１及び図５に示すように、垂木７の上にはパネル押さえ１１が設けてあり、垂木７、７間に配置したパネル１３をパネル押さえ１１で押えてあり、パネル押え１１は垂木７のパネル押え取付部１４にねじ固定している。
【００１１】
図１及び図６に示すように、端部柱３ａ及び中間柱３ｂの各々には、前面を覆う柱カバー１７が取付けてあり、柱カバー１７の上端１７ａは桁５の前面に配置してある。
端部柱３ａは、図６及び図７に示すように、内部に縦樋１９を収納する中空２１が形成してあり、前面に前側に突設する係止突起２３を有する係止部材２６がねじ固定されている。係止突起２３は係止部材２６の上下に亘って長く形成されている。
柱カバー１７には、係止突起２３に係止する被係止部２４が形成してあり、端部柱３ａの係止突起２３に係止してある。
中間柱３ｂにも、図４に示すように、前面に係止突起２３が形成されているが、中間柱３ｂには縦樋１９が収納されていない点が端部柱３ａと異なっている。
各柱カバー１７は、柱３ａ、３ｂの係止突起２３に各々係止してあるが、桁５の前面には係止部がなく、桁５には係止されていない。
【００１２】
図１及び図６に示すように、桁５は上向きに開口した横樋部２５と、横樋部２５の後側にパネル受け２７が設けてあり、パネル受け２７の前側に前側パネル押え３１がねじで固定してあり、パネル受け２７で受けたパネルの前端を前側パネル押さえ３１で押えている。
垂木７に設けたパネル押え１１は、前側端部１１ａを桁５の横樋部２５側に突出してあり、垂木７のパネル押え取付部１４はその前端部１４ａを桁５の後面５ａよりも前側に突出して配置されている。パネル押え１１の前端部１１ａにはねじ挿通孔が形成されている。
【００１３】
図２及び図３に示すように、キャップ８は、各端部柱３ａ及び中間柱３ｂの位置に対応して設けてあり、端部柱３ａ及び中間柱３ｂと、垂木７との間で、桁５に被せてある。図１及び図６に示すように、キャップ８の後端部８ｂは、パネル押え取付部１４の前端部１４ａ及びパネル押え１１の前側端部１１ａを覆っており、ねじ３３をキャップ８の後端部とパネル押え１１の前端部１１ａのねじ挿通孔に挿通して、垂木７のパネル押え取付部１４の前端部１４ａにねじ固定してある。
キャップ８の前側端部８ａには、図１及び図８に示すように、下方に突設する突設部３５が設けてあり、前側端部８ａは、柱カバー１７の上端１７ａの外周面に係合し、突設部３５は柱カバー１７の上端１７ａの内部に挿入している。
【００１４】
次に、図６〜図１１を参照して、端部柱３ａの排水構造について説明する。図６に示すように、縦樋１９の上端には集水器２９が設けてあり、縦樋の１９の下端には排水器４０が設けてあり、横樋部２５が受けた雨水を集水器２９及び縦樋１９を通って、排水器４０から排水するようになっている。
集水器２９は、図６及び図９に示すように、水の落し込み部２９ａと落し込み部２９ａの上に設けた固定部２９ｂとが形成してあり、図６に示すように、固定部２９ｂは桁５の前壁５ｂにねじ固定されている。落とし込み部２９ａは、四角筒形状をなしており、図９（ｃ）に示すように、縦樋１９の内周側に嵌合する形状にしてある。
排水器４０は、図６、図８、図１０に示すように、端部柱３ａ内に収納される本体部４２と、本体部４２から端部柱３ａの前側に突設する排水口４１とが一体に形成してある。本体部４２の上面４２ａには、縦樋１９を呑み込み可能な開口部４３が形成されている。この開口部４３は、図８に示すように、前後方向の寸法Ｓ１が縦樋１９の前後方向の寸法Ｓ２よりも大きくしてあり、開口部の左右方向の寸法Ｔ１は、縦樋１９の外周における左右方向の寸法Ｔ２と略同じ寸法にしてある。
図１０に示すように、本体部４２の内側は空間であり、本体部４２の底面４２ｃは排水口４１側を下にして傾斜しており、本体部４２内の水を排水口４１から排出するようになっている。
本体部４２において開口部４３の後側には、縦樋１９の下端１９ｂが上から係止する縦樋係止部４５が形成されている。縦樋係止部４５は、略Ｖ字形状の凹みを有している。
図６に示すように、縦樋１９の上下寸法Ｈ１は、集水器２９の下端２９ｃと排水器４１の上面４１ｃ間の寸法Ｈ２よりも長くしてある。
【００１５】
次に、本実施の形態にかかる簡易建物１の施工、作用効果について、説明する。
図１及び図１３に示すように、柱３を立設して、柱３に桁５を架設し、躯体側に設けた垂木掛け３４と桁５と間に垂木７を取付ける。隣合う垂木７、７間に横桟９を取付け、垂木７のパネル受け２７と、パネル押え１１とでパネル１３を固定する。
桁５において、左右の端部柱３ａが位置する箇所では、桁５の前壁５ｂに集水器２９をねじ固定する。次に、図８に示すように、端部柱３ａの下端に排水器４０を前側から中空内に嵌合してねじ４４で端部柱３ａに固定する。
縦樋１９の下端１９ｂを後側に上端１９ａを前側にして縦樋１９傾斜させて、図１１（ａ）に示すように、縦樋１９の下端を排水器４０の開口部４３に前側から呑み込ませ、その状態で上端１９ａを集水器２９の下端に配置して、縦樋１９を端部柱３ａの中空２１内に配置する。
次に、図１１（ａ）に矢印で示すように、縦樋１９を上に突き上げて、図１１（ｂ）に示すように、集水器２９の落し込み部２９ａを縦樋１９の上端１９ａの内側に入れ込み、縦樋１９の下端１９ｂを排水器４０の開口部４３内を後側に移動して、後壁４２ｃに当接させた後、図１１（ｂ）に矢印で示すように、少し落とし込んで上端１９ａが集水器２９の落し込み部２９ａに嵌合したまま下方に少しずらすことにより、下端１９ｂを排水器４０の縦樋係止部４５に上から係止する。
【００１６】
そして、図４及び図７に示すように、柱３ａ、３ｂの前面に設けた係止突起２３に柱カバー１７の被係止部２４を係止して柱３ａ、３ｂの前面に柱カバー１７を取付ける。
図１２に示すように、柱カバー１７の上端１７ａは、桁５の前面で上端に配置する。柱カバー１７は柱３ａ、３ｂの前面にのみ係止してあるが、桁５には係止されていない。
図１及び図６に示すように、垂木７のパネル押え取付部１４及びパネル押え１１を桁５の後面よりも前側に突設して配置し、パネル１３の前側端１３ａを桁５のパネル受け２７とパネル押え１１の前側端部１１ａで挟むとともに、キャップ８の前側端部８ａを柱カバー１７の上端１７ａに被せて係合して柱カバー１７の上端１７ａを固定する。
キャップ８の後端部は、ねじ３３を上から挿入してパネル押え１１に形成したねじ挿通孔に挿通して垂木７のパネル押さえ取付部１４に固定する。
【００１７】
本実施の形態によれば、縦樋１９は、端部柱３ａの内部に配置して上端部１９ａを集水器２９に嵌合して下端部１９ｂを排水器４０に係止しているので、縦樋１９の固定に結束バンドが不要であるから部品点数が少なく且つ施工が容易である。
縦樋１９及び集水器２９は端部柱３ａの内部にあり外部から見えないので概観が良い。
排水器４０には縦樋１９の下端１９ｂを呑み込み可能な開口部４３と下縦樋係止部４５が設けてあり、縦樋１９は、下端１９ｂを排水器４０の開口部４３に呑み込ませた後、集水器２９に下から嵌合し、次に落とし込みにより縦樋係止部４５に係止できるので、この点でも施工が容易である。
【００１８】
更に、本実施の形態によれば、図１に示すように、簡易建物１は、パネル押え１１と、キャップ８と、柱カバー１７とで連続した輪郭を形成しているので、外観が良い。
柱３ａ、３ｂの前面に柱カバー１７を取付け、キャップ８の後側端部８ｂをパネル押え１１のねじ挿通孔に挿通したねじ３３で垂木７のパネル押え取付部１４にねじ固定することでキャップ８を垂木７に容易に固定でき、キャップ８の前側端部８ａを柱カバー１７の上端１７ａに被せて係合するので、柱カバー１７を桁５に取付けなくても柱カバー１７の上端１７ａを固定できるから、施工が容易にできる。
キャップ８の前側端部８ａに設けた突設部３５は柱カバー１７の上端１７ａの内部に挿入するので、柱カバー１７の上端１７ａの潰れや変形を防止できる。
垂木７の前側端は桁５の後面５ａに当接してあり、パネル押え取付部１４の前端部１４ａのみを桁５の後面５ａよりも前側に配置してキャップ８をねじ３３で固定しているので、柱カバー１７の上端１７ａは桁５の前面のみを覆うだけでキャップ８と連続した輪郭を形成できるから、柱３ａ、３ｂから上方に突設する柱カバー１７の寸法を小さくできる。したがって、柱カバー１７は柱３ａ、３ｂに取付けていない部分の寸法が小さいからキャップ８との係合のみでも安定に取付けできる。
キャップ８を止めているねじ３３を外すだけでキャップ８を容易に外すことができ、キャップ８が簡単に外せるから、桁５の横樋部２５の清掃が容易にできる。
また、ねじ３３を外してキャップ８を外すことにより、柱カバー１７は容易に外すことができるので、端部柱３ａに収納された縦樋１９の清掃も容易にできる。
【００１９】
本発明は、上述した実施の形態に限らず、本発明の要旨を逸脱しない範囲で種々変形可能である。
例えば、本発明の簡易建物１はテラスに限らず、カーポート等でも良い。
縦樋１９は、四角筒形状に限らず、円筒形状でもよく、形状は制限されない。
【符号の説明】
【００２０】
１    簡易建物
３ａ  端部柱（柱）
５    桁
１７  柱カバー
１９  縦樋
２１  中空
２５  横樋部
２９  集水器
４０  排水器
４３  開口部
４５  縦樋係止部
【図１】
0005956133.tif 000002
【図２】
0005956133.tif 000003
【図３】
0005956133.tif 000004
【図４】
0005956133.tif 000005
【図５】
0005956133.tif 000006
【図６】
0005956133.tif 000007
【図７】
0005956133.tif 000008
【図８】
0005956133.tif 000009
【図９】
0005956133.tif 000010
【図１０】
0005956133.tif 000011
【図１１】
0005956133.tif 000012
【図１２】
0005956133.tif 000013
【図１３】
0005956133.tif 000014
【図１４】
0005956133.tif 000015